(57)【要約】    【課題】  容易に剥がすことができる改良型粘着テープを提供することである。    【解決手段】  所定幅をもつ細長いテープ本体（１２）を備え、テープ本体が、その長さ方向に沿って延びた中央領域（１２ａ）、及び中央領域の両側に位置する縁部領域（１２ｂ、１２ｃ）を有し、中央領域と縁部領域との境界にミシン目（１４）が設けられており、縁部領域の各々の一方の面に感圧接着剤（１６）が塗布されていることを特徴とする改良型粘着テープ（１０）が提供される。【選択図】  図１
0003108700.tif 000002
【実用新案登録請求の範囲】
【請求項１】
所定幅をもつ細長いテープ本体を備え、
前記テープ本体が、その長さ方向に沿って延びた中央領域、及び前記中央領域の両側に位置する縁部領域を有し、
前記中央領域と前記縁部領域との境界にミシン目が設けられており、
前記縁部領域の各々の一方の面に感圧接着剤が塗布されている、
ことを特徴とする改良型粘着テープ。
【請求項２】
所定幅をもつ細長いテープ本体を備え、
前記テープ本体が、その長さ方向に沿って延びた中央領域、及び前記中央領域の両側に位置する縁部領域を有し、
前記中央領域の一方の面又は両方の面に感圧接着剤が塗布されている、
ことを特徴とする改良型粘着テープ。
【請求項３】
所定幅をもつ細長いテープ本体を備え、
前記テープ本体が、その長さ方向に沿って延びたｍ個（ｍ＝２，３，４，・・・・）の領域を有し、
前記各領域の境界にミシン目が設けられており、
前記各領域のうち１つおきの領域の一方の面に感圧接着剤が塗布されている、
ことを特徴とする改良型粘着テープ。
【請求項４】
所定幅をもつ細長いテープ本体を備え、
前記テープ本体が、その長さ方向に沿って延びたｎ個（ｎ＝２，３，４，・・・・）の領域を有し、
前記各領域のうち１つおきの領域の一方の面又は両方の面に感圧接着剤が塗布されている、
ことを特徴とする改良型粘着テープ。
【考案の詳細な説明】
【技術分野】
【０００１】
本考案は、容易に剥がすことができる改良型粘着テープに関する。
【背景技術】
【０００２】
段ボール等の容器を閉じるための道具として、一般的に粘着テープが用いられている。このような粘着テープは、所定幅を有する細長いテープ本体の裏面に感圧接着剤を塗布し、感圧接着剤の塗布面に剥離紙が剥離可能に貼られている型式のものが大半であり、使用に際して、剥離紙を取って、所望箇所にテープ本体を貼ることにより、段ボール等の容器を閉じることができるようになっている。
【考案の開示】
【考案が解決しようとする課題】
【０００３】
しかしながら、従来の粘着テープでは、粘着テープを段ボール等から剥がそうとすると、容易に剥がれにくく、無理に剥がすと、段ボールの表面部分も一緒に剥がれてしまい、見栄えの悪い状態になるという不都合があった。したがって、本考案は、容易に剥がすことができる改良型粘着テープを提供することを目的としている。
【課題を解決するための手段】
【０００４】
本願請求項１に記載の改良型粘着テープは、所定幅をもつ細長いテープ本体を備え、前記テープ本体が、その長さ方向に沿って延びた中央領域、及び前記中央領域の両側に位置する縁部領域を有し、前記中央領域と前記縁部領域との境界にミシン目が設けられており、前記縁部領域の各々の一方の面に感圧接着剤が塗布されていることを特徴とするものである。
【０００５】
本願請求項２に記載の改良型粘着テープは、所定幅をもつ細長いテープ本体を備え、前記テープ本体が、その長さ方向に沿って延びた中央領域、及び前記中央領域の両側に位置する縁部領域を有し、前記中央領域の一方の面又は両方の面に感圧接着剤が塗布されていることを特徴とするものである。
【０００６】
本願請求項３に記載の改良型粘着テープは、所定幅をもつ細長いテープ本体を備え、前記テープ本体が、その長さ方向に沿って延びたｍ個（ｍ＝２，３，４，・・・・）の領域を有し、前記各領域の境界にミシン目が設けられており、前記各領域のうち１つおきの領域の一方の面に感圧接着剤が塗布されていることを特徴とするものである。
【０００７】
本願請求項４に記載の改良型粘着テープは、所定幅をもつ細長いテープ本体を備え、前記テープ本体が、その長さ方向に沿って延びたｎ個（ｎ＝２，３，４，・・・・）の領域を有し、前記各領域のうち１つおきの領域の一方の面又は両方の面に感圧接着剤が塗布されていることを特徴とするものである。
【考案の効果】
【０００８】
本考案によれば、感圧接着剤が塗布されていない領域を設けることにより、テープを容易に剥がすことができるという効果が得られる。また、段ボール等の表面部分が剥がれることがないので、見栄えが悪くなることがないという効果も得られる。また、マスキング用テープとしても利用することができる。また、一旦貼ったテープを剥がした場合の後始末（剥がした部分の清掃）が容易であるという効果が得られる。さらに、一方の面のみならず両方の面に感圧接着剤を塗布した形態では、両面テープとして使用した場合に剥がし易くなるという効果が得られる。
【考案を実施するための最良の形態】
【０００９】
次に添付図面を参照して、本考案の好ましい実施の形態に係る改良型粘着テープについて詳細に説明する。図１は、本考案の第１の実施の形態に係る改良型粘着テープを示した斜視図、図２は、図１の改良型粘着テープの正面図である。図１及び図２において全体として参照符号１０で示される本考案の第１の実施の形態に係る改良型粘着テープは、所定幅をもつ細長いテープ本体１２を備えている。
【００１０】
テープ本体１２は、その長さ方向に沿って延びた３つの領域、即ち、中央領域１２ａ、及び縁部領域１２ｂ、１２ｃを有しており、中央領域１２ａと一方の縁部領域１２ｂとの境界、及び、中央領域１２ａと他方の縁部領域１２ｃとの境界には、ミシン目１４が設けられている。
【００１１】
テープ本体１２の縁部領域１２ｂ、１２ｃの一方の面には、感圧接着剤１６が塗布されている。これに対し、テープ本体１２の中央領域１２ａの面には、感圧接着剤は塗布されていない。テープ本体１２の感圧接着剤１６が塗布されている面には、剥離紙１８が剥離可能に貼られている。
【００１２】
以上のように構成された改良型粘着テープ１０の使用について説明する。図３（ａ）は、段ボールの蓋に改良型粘着テープ１０が貼られている状態を示した図である。改良型粘着テープ１０を段ボールの蓋に貼る際には、テープ本体１２の中央領域１２ａが蓋の縁部に位置するように注意する。段ボールの蓋を開けようとする場合には、テープ本体１２の中央領域１２ａを剥がす（図３（ｂ）参照）。この際、テープ本体１２の縁部領域１２ｂ、１２ｃの裏面には感圧接着剤１６が塗布されており、段ボールに接着した状態になっているが、中央領域１２ａの裏面には感圧接着剤が塗布されていないため、中央領域１２ａを引っ張ると、ミシン目１４が切れて中央領域１２ａのみが取り除かれ（図３（ｃ）参照）、蓋を開けることができるようになる。
【００１３】
図４は、本発明の第２の実施の形態に係る改良型粘着テープ２０を示した図である。本発明の第２の実施の形態に係る改良型粘着テープ２０は、所定幅をもつ細長いテープ本体２２を備えている。テープ本体２２は、その長さ方向に沿って延びた３つの領域、即ち、中央領域２２ａ、及び縁部領域２２ｂ、２２ｃを有している。そして、テープ本体２２の中央領域２２ａの一方の面には、感圧接着剤２６が塗布されており、縁部領域２２ｂ、２２ｃの面には、感圧接着剤は塗布されていない。
【００１４】
改良型粘着テープ２０は、縁部領域２２ｂ、２２ｃ、即ち、テープの両縁部の面に感圧接着剤が塗布されていないので、例えば、所望箇所に粘着テープ２０を貼った後に剥がそうとする際に、縁部領域２２ｂ、２２ｃに指先を引っ掛けることにより、粘着テープ２０を容易に剥がすことができる。
【００１５】
図５は、本発明の第３の実施の形態に係る改良型粘着テープ３０を示した図である。本発明の第３の実施の形態に係る改良型粘着テープ３０は、所定幅をもつ細長いテープ本体３２を備えている。テープ本体３２は、その長さ方向に沿って延びた５つの領域、即ち、３２ａ、３２ｂ、３２ｃを有しており、各領域の間には、ミシン目３４が設けられている。そして、テープ本体３２の領域３２ａ、３２ｃの一方の面に、感圧接着剤３６が塗布されており、領域３２ｂの面には、感圧接着剤は塗布されていない（換言すると、感圧接着剤３６が塗布された領域と塗布されていない領域が交互に設けられている）。
【００１６】
図６は、図５に示される改良型粘着テープ３０の変形形態を示した図である。図６に示される改良型粘着テープ４０は、感圧接着剤４６が塗布されているのが領域４２ｂで、塗布されていないのが領域４２ａ、４２ｃである点を除いて、改良型粘着テープ３０と実質的に同一である。
【００１７】
なお、上述の例では、改良型粘着テープ３０、４０は、５個の領域に分けられているが、領域の個数を５以外（例えば、２，３，４，６，７，・・・）にしてもよい。また、各領域の境界にミシン目３４、４４が設けられているが、ミシン目を設けなくともよい。さらに、上述の例のうち、ミシン目が設けられていない改良型粘着テープについて、感圧接着剤を一方の面のみならず両方の面に塗布してもよい。このようにすることにより、両面テープとして使用した場合に、普通の両面テープと比較して接着剤塗布面積が小さくなるので、剥がし易くなる。
【００１８】
ミシン目３４、４４が設けられた改良型粘着テープ３０、４０は、例えば、マスキング用のテープ（テープを貼って、ペイントを塗布した後、ミシン目に沿って接着剤非塗布部を剥がせば、ペイントを塗布した平行線が得られる）として効果的に使用することができる。また、ミシン目が設けられていない改良型粘着テープ３０、４０は、裏面全面に感圧接着剤が塗布された粘着テープに比較して接着剤量が少ないので、例えば、一旦貼ったテープを剥がす必要が生じた場合に、剥がした後に接着剤の痕が残っている部分が少ないため、剥がした部分の清掃が容易であるという効果が得られる。
【００１９】
なお、テープ本体１２、２２、３２、４２は、紙、布、軟質フィルム等の任意の所望の材料で形成される。また、感圧接着剤１６、２６、３６、４６及び剥離紙１８、２８、３８、４８は、公知のものを使用してよい。
【００２０】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２１】
例えば、前記実施の形態では、ミシン目１４、３４、４４は、直線状に並んだ微小孔の集合体によって形成されているが、図７に示されるように、平面視で「ハ」の字形の微小スリットの集合体によって形成されるミシン目１４′を用いてもよい。
【図面の簡単な説明】
【００２２】
【図１】本考案の第１の実施の形態に係る改良型粘着テープの斜視図である。
【図２】図１の改良型粘着テープの正面図である。
【図３】図１の改良型粘着テープの使用手順を示した一連の図である。
【図４】図４（ａ）は、本考案の第２の実施の形態に係る改良型粘着テープの斜視図、図４（ｂ）は、図４（ａ）の改良型粘着テープの正面図である。
【図５】図５（ａ）は、本考案の第３の実施の形態に係る改良型粘着テープの斜視図、図５（ｂ）は、図５（ａ）の改良型粘着テープの正面図である。
【図６】図６（ａ）は、図５（ａ）及び図５（ｂ）に示される改良型粘着テープの変形形態を示した斜視図、図６（ｂ）は、図６（ａ）の粘着テープの正面図である。
【図７】改良型粘着テープのミシン目の変形形態を示した斜視図である。
【符号の説明】
【００２３】
１０、２０、３０、４０  テープ
１２、２２、３２、４２  テープ本体
１４、３４、４４、１４′  ミシン目
１６、２６、３６、４６  感圧接着剤
１８、２８、３８、４８  剥離紙
【図１】
0003108700.tif 000003
【図２】
0003108700.tif 000004
【図３】
0003108700.tif 000005
【図４】
0003108700.tif 000006
【図５】
0003108700.tif 000007
【図６】
0003108700.tif 000008
【図７】
0003108700.tif 000009